(57)【要約】  サブフレーム（１６）と、フレーム（１８）と、フレームに取り付けられた１以上のカミソリ刃（２０）とを含むカミソリカートリッジ（１２）が提供される。フレームは、キャップ（３０）と、前端（３４）と、キャップ端（３６）とを含む。１以上のカミソリ刃はフレームに取り付けられる。フレームは、サブフレームに回転可能に取り付けられると共に、キャップ付近且つ１以上のカミソリ刃の切断エッジの後に位置される回転軸線（４２）の回りを回転する。カミソリカートリッジは、好ましくは、フレームとサブフレームとの間で作用するバネ機構（６０）をさらに含む。
2005515865.tif 000002
【特許請求の範囲】
【請求項１】
サブフレームと、
キャップ、前端、及びキャップ端を有するフレームと、
前記フレームに取り付けられたカミソリ刃であって、そのそれぞれが切断エッジを有する１以上のカミソリ刃とを備え、
前記フレームが、前記サブフレームに回転可能に取り付けられ、前記フレームが、前記キャップ付近且つ前記１以上のカミソリ刃の前記切断エッジの後に位置される回転軸線の回りを回転する
カミソリカートリッジ。
【請求項２】
前記フレームの前記前端が、第一の距離だけ前記回転軸線から離間され、前記フレームの前記キャップ端が、第二の距離だけ前記フレームの前記キャップ端から離間され、前記第一の距離が前記第二の距離より大きい請求項１記載のカミソリカートリッジ。
【請求項３】
前記サブフレームに取り付けられたガードをさらに備え、前記サブフレームが１以上のバネ部材を備え、前記バネ部材は、前記サブフレームに対する前記フレームの回転経路の少なくとも一部の間で前記フレームに作用し、前記１以上のバネ部材が片持ち支持される請求項２記載のカミソリカートリッジ。
【請求項４】
前記サブフレームが１以上のサブフレーム支持面をさらに備え、前記フレームが１以上のフレーム支持面をさらに備え、前記１以上のサブフレーム支持面及び前記１以上のフレーム支持面が、互いにスライド可能に接触すると共に、互いに倣う弓形に形成される請求項３記載のカミソリカートリッジ。
【請求項５】
前記１以上のサブフレーム支持面が、各々、前記回転軸線及び前記１以上のサブフレーム支持面の間の垂直距離と等しい半径を有し、前記１以上のフレーム支持面が、各々、前記回転軸線及び前記１以上のフレーム支持面の間の垂直距離と等しい半径を有する請求項４記載のカミソリカートリッジ。
【請求項６】
前記サブフレームに対し前記フレームを案内するためのガイドをさらに備え、前記サブフレームが、前記カミソリカートリッジをハンドルに接続するためのコネクタをさらに備える請求項４記載のカミソリカートリッジ。
【請求項７】
前記コネクタが、前記ハンドルを前記カミソリカートリッジに回転可能に接続する請求項６記載のカミソリカートリッジ。
【請求項８】
前記フレームを前記サブフレームに取り付けるための機構をさらに備え、前記機構が、前記１以上のサブフレーム支持面の少なくとも一つに配置された穴を含み、
前記１以上のフレーム支持面の少なくとも一つから突出するタブをさらに備え、前記タブが前記穴に整列されると共に前記穴に受け入れられ、前記フレームと前記サブフレームとの意図しない分解を防止する
請求項４記載のカミソリカートリッジ。
【請求項９】
外表面を有し前記サブフレームに取り付けられるガードをさらに備え、前記サブフレームに回転可能に取り付けられる前記フレームが、前記ガードに対し回転可能である請求項１記載のカミソリカートリッジ。
【請求項１０】
サブフレームと、
外表面を有し前記サブフレームに取り付けられるガードと、
前端、キャップ端、及び外表面を有するキャップを有するフレームと、
前記フレームに取り付けられた１以上のカミソリ刃であって、そのそれぞれが切断エッジを有する１以上のカミソリ刃とを備え、
シェーブ面が、前記キャップの外表面と前記ガードの外表面とに接線状に交差し、前記シェーブ面が前記カートリッジの長さに亘って延出し、
前記フレームが、前記一以上のカミソリ刃のそれぞれの切断エッジが前記シェーブ面に向かって或いは前記シェーブ面から離れて回転できるような方法で、前記サブフレームに回転可能に取り付けられる
カミソリカートリッジ。
【請求項１１】
表面を剃るためのカミソリカートリッジであって、
１以上のカミソリ刃であって、そのそれぞれが切断エッジを有する１以上のカミソリ刃と、
バネが取り付けられたフレームであって、前記１以上のカミソリ刃を支持するためのフレームと、
ガードとを備え、
前記バネ付きフレームによって与えられるバネ力が、前記１以上のカミソリ刃を前記表面に接触させ続け、ユーザによって与えられた垂直力が、前記ガードを前記表面に接触させ続ける
カミソリカートリッジ。
【請求項１２】
サブフレームと、キャップ、前端、及びキャップ端を有するフレームと、前記フレームに取り付けられた１以上のカミソリ刃であって、そのそれぞれが切断エッジを有する１以上のカミソリ刃とを含み、前記フレームが前記サブフレームに回転可能に取り付けられ、前記フレームが、前記キャップ付近且つ前記１以上のカミソリ刃の前記切断エッジの後に位置される回転軸線の回りを回転するカミソリカートリッジと、
ハンドルと
を備えるカミソリアッセンブリ。
【発明の詳細な説明】
【技術分野】
【０００１】
本発明は概してシェービング装置に係り、剃られる面に向けて１以上のカミソリ刃を付勢するための装置を利用するシェービング装置に関する。
【背景技術】
【０００２】
現代の安全カミソリは、カートリッジ内に配置された複数の刃を含み、カートリッジはハンドルに回転可能に又は固定して取り付けられる。いくつかの安全カミソリは、再使用可能なハンドルとともに使用される使い捨てカートリッジを有し、一方その他の安全カミソリは、一体として使い捨てのハンドル及びカートリッジを有する。様々なカミソリカートリッジの形態が存在するが、そのほとんどは硬質プラスチックで作られたフレームを含む。フレームはシートとキャップとを含む。カートリッジはしばしば刃の前方に配置されたガード（保護装置）を含む。ガードとキャップとは、刃のシェービング動作を最適化するよう、刃に対する人の皮膚の位置を方向付ける。いくつかのカートリッジは、シェービング工程を向上するため、シェービングエイド（例えば潤滑剤、引き摺り抵抗軽減剤、脱毛剤、清浄剤、医薬剤等）からなるコンフォートストリップを含む。ここで使用される用語「前」及び「後」は、安全カミソリ（即ちカミソリアッセンブリ）の要素間の相対位置を定義する。例えば、カミソリ刃の要素「前」は、カミソリアッセンブリがその意図される切断方向になでられているときに、剃られる面がカミソリ刃に直面する前に要素に直面するように位置づけられる（例えば、ガードはカミソリ刃の前にある）。カミソリ刃の要素「後」は、カミソリアッセンブリがその意図される切断方向になでられているときに、剃られる面がカミソリ刃に直面した後に要素に直面するように位置づけられる（例えば、キャップはカミソリ刃の後に配置される）。
【０００３】
特定のカミソリカートリッジによって提供される快適さ及び性能は、カミソリの商業的成功にとって重要である。カミソリの快適性、性能、及び扱いやすさのためになる改良は、意義があり若しくは繊細ではあるが、カミソリの商業的成功に決定的な影響を及ぼすことができる。例えば、ほとんどのカミソリはガードバーを含み、これにより剃られる皮膚を、ガードの後に配置された１以上のカミソリのための好ましい位置に向ける。ユーザによって与えられる力により、ガードバーは皮膚を張るように引き、１以上のカミソリ刃の切断エッジに対する皮膚の向きを最適化する。
【０００４】
しかしながら、現在利用可能なほとんどのカミソリカートリッジでは、皮膚を張るように引くのに望ましい垂直力（通常力：normal force）は、もし強すぎれば不適当ともなり得る。過度の力は、カミソリ刃の切断エッジを皮膚に近付けさせすぎ、よって肌が切れたりヒリヒリしたりする可能性を増加させる。
【発明の開示】
【発明が解決しようとする課題】
【０００５】
したがって、ユーザにより与えられる広範囲の垂直力に対し安全に使用できるカミソリカートリッジが必要とされている。
【課題を解決するための手段】
【０００６】
そこで、本発明の目的は、ユーザにより与えられる広範囲の垂直力に対し安全に使用できるカミソリカートリッジを提供することにある。
【０００７】
本発明によれば、サブフレームと、フレームと、フレームに取り付けられた１以上のカミソリ刃とを含むカミソリカートリッジが提供される。フレームは、キャップと、前端と、キャップ端とを含む。１以上のカミソリ刃はフレームに取り付けられる。フレームは、サブフレームに回転可能に取り付けられると共に、キャップ付近且つ１以上のカミソリ刃の切断エッジの後に位置される回転軸線（pivot line）の回りを回転する。好ましくは、カミソリカートリッジは、フレームとサブフレームとの間で作用するスプリング機構をさらに含む。
【０００８】
本発明の利点は、フレームに取り付けられたカミソリ刃がシェーブ面（剃り面：shave plane） に対し向きを変更するという能力に起因する。フレーム及び取り付けられたカミソリ刃のシェーブ面から遠ざかる回転は、カミソリ刃とシェーブ面との間の角度を減少して、カミソリ刃と剃られるべき面との間の好ましくない相互作用の可能性を減少させる。
【０００９】
本カートリッジの他の利点は、バネ付勢されたカミソリ刃によって提供される安全性である。係合量がユーザによって与えられる垂直力よりむしろバネ力の関数であるので、ユーザは誤った過度の力のストロークから保護される。
【００１０】
別の利点は、ユーザが、ガードに（即ち、削られる面にガードを介して）、実質的な垂直力を、同じ力がカミソリ刃に与えられることなく、与えることができることである。ガードは、肌を張るように引き、これにより肌を切断エッジに対し最適に指向するのを助長する。従って、皮膚をカミソリ刃の切断エッジに過度に係合させることの好ましくない結果なしに、ガードが肌を張るよう引っぱることを可能にするため、相当な力が与えられることができる。
【００１１】
本発明のこれら及び他の目的、特徴及び利点は、本発明の詳細な説明に鑑みて明らかになるであろう。
【発明の効果】
【００１２】
本発明によれば、ユーザにより与えられる広範囲の垂直力に対し安全に使用できるカミソリカートリッジが提供される。
【発明を実施するための最良の形態】
【００１３】
ここで図１〜図４を参照して、本発明のカミソリアッセンブリ１０はカミソリカートリッジ１２及びハンドル１４を含む。いくつかの例において、ハンドル１４とカートリッジ１２とは、通常使用時におけるハンドル１４からのカートリッジ１２の分解が予定されないような方法で組み立てられる（即ち、一体の使い捨てカミソリアッセンブリ）。他の例において、カートリッジ１２は交換可能で、よってハンドル１４から選択的に分離可能である。
【００１４】
ここで図２〜図４を参照して、カミソリカートリッジ１２は、サブフレーム１６と、フレーム１８と、１以上のカミソリ刃２０とを含むと共に、長さ２２と幅２４と高さ２６とを有するとして説明されることができる（図１参照）。１以上のカミソリ刃２０（その各々は長手方向に延出する切断エッジ２８を有する）が、フレーム１８に取り付けられる。フレーム１８は、キャップ３０と、一対のフレーム支持面３２と、前端３４と、キャップ端３６と、一対のサイドパネル３８と、一対のバネタブ４０とを含む。フレーム１８は、サブフレーム１６に回転可能に取り付けられる。フレーム１８は、回転軸線４２（図４に示され、紙面内に入っていくように延出する）の回りを回転し、回転軸線４２は、キャップ３０付近且つ１以上のカミソリ刃２０の切断エッジ２８の後に位置される。相対語において、回転軸線４２は、フレーム１８の前端３４から第一の距離４４だけ離れ、フレーム１８のキャップエンド３６から第二の距離４６だけ離れているとして説明されることができる。第一の距離４４は第二の距離４６より大きい。カートリッジ１２は、後端４８及び前端５０を含む。
【００１５】
サブフレーム１６は、サブフレーム１６にハンドル１４を接続するためのコネクタ５２、第一レール５４、第二レール５６、一対のサブフレーム支持面５８、及び一対のバネ部材６０を含む。適用に応じて、ハンドル１４を接続するためのコネクタ５２は、ハンドル１４をサブフレーム１６に固定的に接続するか、又はハンドル１４をサブフレーム１６に回転可能に接続することができる。図２及び図３に示される具体的実施形態において、コネクタ５２は、回転ソケット６２と、カートリッジ１２の前端５０に沿って位置される複数のクリップ６４とを含む。ハンドル１４に取り付けられた回転部材６６（図２及び図４参照）は、回転ソケット６２内に受け入れられ、クリップ６４によって定位置に保持される。回転部材６６及び回転ソケット６２は、ともにハンドル１４及びカートリッジ１２間の回転動作を許容する。他の回転式コネクタが代わりに使用されることができる。一つのサブフレーム支持面５８が、カートリッジ１２の後端４８付近に位置されて各レール５４，５６に取り付けられる。サブフレーム支持面５８は、フレーム１８を支持すると共に、その上をフレーム１８がサブフレーム１６に対しスライド可能に移動できるような表面を提供する。図２〜図４に示される具体的実施形態において、サブフレーム支持面５８は弓形に形成され、各サブフレーム支持面５８と回転軸線４２との間の垂直距離（通常距離：normal distance） と等しい半径６８を有する。フレーム支持面３２は、それらをサブフレーム支持面５８に整列させるのに十分な距離だけ、互いに離間される。フレーム支持面３２は、サブフレーム支持面５８に倣うよう形作られる。図２〜図４に示される実施形態において、フレーム支持面３２は弓形に形成され、各フレーム支持面３２と回転軸線４２との間の垂直距離と等しい半径７０を有する。
【００１６】
一つのバネ部材６０が、サブフレーム１６の両側で各レール５４，５６に取り付けられる。各バネ部材６０は、片持ちばりの如くそれぞれのレール５４，５６から突出する。各バネ部材６０のバネレートは、バネ部材の材質、バネ部材の断面積及び幾何学形状、及びフレーム１８がバネ部材６０に接触する位置のサブフレーム１６からの距離の関数である。各バネ部材６０のバネレートは、対象となる適用に合わせて変更することができる。片持ちバネ部材６０が好適実施形態を表わすが、代わりのバネ機構が使用されることができる。バネタブ４０が、カートリッジ１２の両側でフレーム１８に取り付けられる。バネタブ４０は、カートリッジ１２の側部でバネ部材６０と整列して位置される。バネタブ４０は、弓形に形成され、バネ部材６０との相互作用に好ましい接触面を提供する。
【００１７】
図１に示される実施形態において、外表面７６を有するガード７４がサブフレーム１６に取り付けられ、シェービングエイドストリップ７８がキャップ３０に取り付けられる。様々なガード７４が本発明に使用可能である。ガードは当該技術において周知であり、したがってここではさらに説明されず、本発明が特定のタイプのガードを使用することに限定されないことを言及するに止める。ガード７４は、１以上のカミソリ刃２０の前に位置し、フレーム１８は、ガード７４に対し回転可能に取り付けられる。キャップ３０は、１以上のカミソリ刃２０に後に位置される。キャップ３０は外表面８０を含み、シェービングエイドストリップは、使用前において実質的にキャップ３０の外表面８０と面一である。シェービングエイドストリップ７８は、潤滑剤、引き摺り抵抗軽減剤、脱毛剤、清浄剤、医薬剤等の１以上の様々な構成材料を含むことができ、いかなる単一材料又は材料の組み合せにも限定されない。
【００１８】
図３を参照して、カートリッジ１２は、好ましくは、サブフレーム１６にフレーム１８を取り付けるための機構８２をさらに含む。図３に示される実施形態において、機構８２は、各サブフレーム支持面５８に配置された穴８４と、各フレーム支持面３２から延出するタブ８６とを含む。穴８４は、タブ８６を受け入れると共に、タブ８６より大きくされ、それぞれの穴８４内でのそれぞれのタブ８６の移動を許容する。好ましくは、タブ８６はフック状に形成され、フレーム１８とサブフレーム１６との意図しない分解を防止する。サブフレーム１６にフレーム１８を取り付けるための他のタイプの機構が代わりに使用されても良い。
【００１９】
好ましくは、カートリッジ１２は、サブフレーム１６に対するフレーム１８の案内動作のためのガイド機構８８をさらに含む。図３に示される実施形態において、ガイド機構８８は、サブフレーム１６の両側で各レール５４，５６から突出するポスト９０を含む。ガイド機構８８は、フレーム１８の両方のサイドパネル３８に配置された一対の溝９２をさらに含む。この一対の溝９２は、ポスト９０に整列するよう位置されると共に、サブフレーム１６に対するフレーム１８の回転移動を安定させるためにアーチ形に形成される。
【００２０】
図１〜図４を参照して、カミソリアッセンブリ１０の使用において、剃られる面は典型的に「シェーブ」面（"shave" plane） ９４に一致して配置される。シェーブ面９４は、ガード７４の外表面７６とキャップ３０の外表面８０との間を接線状に延出し、カートリッジ１２の長さに亘って延出する。ユーザによりフレーム１８に付加される、シェーブ面９４に垂直な方向の荷重がないか又は所定の最小荷重未満である場合、１又はそれ以上のカミソリ刃２０の切断エッジ２８が、シェーブ面９４に交差するか、又は隣接する。フレーム１８及び取り付けられたカミソリ刃２０は、バネタブ４０に接触するバネ部材６０と、サブフレーム支持面５８にスライド可能に接触するフレーム支持面３２とによって、当該位置に支持される。当該位置において、フレーム１８は、バネ部材６０によって付勢されなくてもよく、或いは、バネ部材６０は、サブフレーム１６に取り付けられた物理ストッパ７２に抗じてフレーム１８を付勢しても良い。カミソリアッセンブリ１０の使用中、ユーザはカミソリカートリッジ１２に垂直力を与えると共に、この力は、バネ部材６０にバネタブ４０を通じて伝達される。垂直力が所定の最小荷重を越えたとき、バネ部材６０が変形し、フレーム１８が回転軸線４２回りを回転する。回転動作は、互いにスライド可能に接触するフレーム支持面３２とサブフレーム支持面５８との相対移動によって明白である。
【００２１】
フレーム１８の回転移動の結果、カミソリ刃の切断エッジ２８はシェーブ面９４から離れるように回転する。剃られるべき面はカミソリ刃の切断エッジ２８と接触し続け、その後シェーブ面と交差する。この状態において、カミソリ刃の切断エッジ２８を剃られる面に押しつける力は、ユーザによって与えられる垂直力よりむしろバネ部材６０によって与えられるバネ力の関数である。しかしながら、ガード７４及びキャップ３０に接触する面は、ユーザによって与えられる垂直力を受ける。
【００２２】
従って、このカミソリカートリッジ１２の利点の一つは、バネで付勢されるカミソリ刃２０によって提供される安全性である。係合量が垂直力よりむしろバネ力の関数なので、ユーザは誤った過度の力のストロークから保護される。他の利点は、ユーザが、ガード７４に与えられる垂直力の恩恵を依然受けられることである。ガード７４は、皮膚を張るように引き、それゆえ切断エッジ２８に対し最適な面の方向付けを行うのを助長する。本発明によれば、相当の力がガード７４に与えられ、皮膚が切断エッジ２８に過度に係合することの好ましくない結果なしに、皮膚を張るように引くことができる。
【００２３】
本発明がその詳細な実施形態に関して図示され説明されたが、様々な形態及び詳細の変更が、発明の思想及び範囲から外れること無くなされ得ることが、当業者に理解されるであろう。
【図面の簡単な説明】
【００２４】
【図１】本発明のカミソリアッセンブリの斜視図である。
【図２】ハンドル回転部材を含むカミソリカートリッジの斜視図である。
【図３】図２に示されるハンドル回転部材のないカミソリカートリッジの分解斜視図である。
【図４】カミソリアッセンブリの一部の側面図である。
【符号の説明】
【００２５】
１６  サブフレーム
１８  フレーム
２０  カミソリ刃
２８  切断エッジ
３０  キャップ
３４  前端
３６  キャップ端
４２  回転軸線
【図１】
2005515865.tif 000003
【図２】
2005515865.tif 000004
【図３】
2005515865.tif 000005
【図４】
2005515865.tif 000006
【手続補正書】
【提出日】平成16年1月9日(2004.1.9)
【手続補正１】
【補正対象書類名】特許請求の範囲
【補正対象項目名】全文
【補正方法】変更
【補正の内容】
【特許請求の範囲】
【請求項１】
サブフレーム（１６）と、
キャップ（３０）、前端（３４）、及びキャップ端（３６）を有するフレーム（１８）と、
前記フレーム（１８）に取り付けられたカミソリ刃（２０）であって、そのそれぞれが切断エッジ（２８）を有する１以上のカミソリ刃（２０）とを有し、
前記フレーム（１８）が、前記サブフレーム（１６）に回転可能に取り付けられ、前記フレーム（１８）が、前記キャップ（３０）付近且つ前記１以上のカミソリ刃（２０）の前記切断エッジ（２８）の後に位置される回転軸線（４２）の回りを回転する
ことによって特徴づけられるカミソリカートリッジ（１２）。
【請求項２】
前記フレーム（１８）の前記前端（３４）が、第一の距離（４４）だけ前記回転軸線（４２）から離間され、前記フレーム（１８）の前記キャップ端（３６）が、第二の距離（４６）だけ前記フレーム（１８）の前記キャップ端（３６）から離間され、前記第一の距離（４４）が前記第二の距離（４６）より大きいことによって特徴づけられる請求項１記載のカミソリカートリッジ（１２）。
【請求項３】
前記サブフレーム（１８）にガード（７４）が取り付けられ、前記サブフレーム（１８）が１以上のバネ部材（６０）を有し、前記バネ部材（６０）は、前記サブフレーム（１８）に対する前記フレーム（１８）の回転経路の少なくとも一部の間で前記フレーム（１８）に作用し、前記１以上のバネ部材（６０）が片持ち支持されることによってさらに特徴づけられる請求項２記載のカミソリカートリッジ（１２）。
【請求項４】
前記サブフレーム（１８）が１以上のサブフレーム支持面（５８）をさらに有し、 前記フレーム（１８）が１以上のフレーム支持面（３２）をさらに有し、 前記１以上のサブフレーム支持面（５８）及び前記１以上のフレーム支持面（３２）が、互いにスライド可能に接触すると共に、互いに倣う弓形に形成されることによって特徴づけられる請求項３記載のカミソリカートリッジ（１２）。
【請求項５】
前記１以上のサブフレーム支持面（５８）が、各々、前記回転軸線（４２）及び前記１以上のサブフレーム支持面（５８）の間の垂直距離と等しい半径を有し、前記１以上のフレーム支持面（３２）が、各々、前記回転軸線（４２）及び前記１以上のフレーム支持面（３２）の間の垂直距離と等しい半径を有することによって特徴づけられる請求項４記載のカミソリカートリッジ（１２）。
【請求項６】
ガイド（８８）が、前記フレーム（１８）を前記サブフレーム（１８）に対し案内し、前記サブフレーム（１８）が、前記カミソリカートリッジ（１２）をハンドル（１４）に接続するためのコネクタ（５２）をさらに有することによってさらに特徴づけられる請求項４記載のカミソリカートリッジ（１２）。
【請求項７】
前記コネクタ（５２）が、前記ハンドル（１４）を前記カミソリカートリッジ（１２）に回転可能に接続することによって特徴づけられる請求項６記載のカミソリカートリッジ（１２）。
【請求項８】
前記フレーム（１８）を前記サブフレーム（１８）に取り付けるための機構が、前記１以上のサブフレーム支持面（５８）の少なくとも一つに配置された穴を含み、タブ（４０）が、前記１以上のフレーム支持面（３２）の少なくとも一つから突出し、前記タブ（４０）が前記穴に整列されると共に前記穴に受け入れられ、前記フレーム（１８）と前記サブフレーム（１８）との意図しない分解を防止することによってさらに特徴づけられる請求項４記載のカミソリカートリッジ（１２）。
【請求項９】
外表面（７６）を有するガード（７４）が前記サブフレーム（１８）に取り付けられ、前記サブフレーム（１８）に回転可能に取り付けられる前記フレーム（１８）が、前記ガード（７４）に対し回転可能であることを特徴とすることによって特徴づけられる請求項１記載のカミソリカートリッジ（１２）。
【請求項１０】
サブフレーム（１８）と、
外表面（７６）を有し前記サブフレーム（１８）に取り付けられるガード（７４）と、  前端（３４）、キャップ端（３６）、及び外表面（８０）を有するキャップ（３０）を有するフレーム（１８）と、
前記フレーム（１８）に取り付けられた１以上のカミソリ刃（２０）であって、そのそれぞれが切断エッジ（２８）を有する１以上のカミソリ刃（２０）とを有し、
シェーブ面（９４）が、前記キャップ（３０）の外表面（８０）と前記ガード（７４）の外表面（７６）とに接線状に交差し、前記シェーブ面（９４）が前記カートリッジ（１２）の長さに亘って延出し、
前記フレーム（１８）が、前記一以上のカミソリ刃（２０）のそれぞれの切断エッジ（２８）が前記シェーブ面（９４）に向かって或いは前記シェーブ面（９４）から離れて回転できるような方法で、前記サブフレーム（１８）に回転可能に取り付けられる
ことによって特徴づけられるカミソリカートリッジ（１２）。
【請求項１１】
表面を剃るためのカミソリカートリッジ（１２）であって、
１以上のカミソリ刃（２０）であって、そのそれぞれが切断エッジ（２８）を有する１以上のカミソリ刃（２０）と、
バネが取り付けられたフレーム（１８）であって、前記１以上のカミソリ刃（２０）を支持するためのフレーム（１８）と、
ガード（７４）とを有し、
前記バネ付きフレーム（１８）によって与えられるバネ力が、前記１以上のカミソリ刃（２０）を前記表面に接触させ続け、ユーザによって与えられた垂直力が、前記ガード（７４）を前記表面に接触させ続ける
ことによって特徴づけられるカミソリカートリッジ（１２）。
【請求項１２】
サブフレーム（１８）と、キャップ（３０）、前端（３４）、及びキャップ端（３６）を有するフレーム（１８）と、前記フレーム（１８）に取り付けられた１以上のカミソリ刃（２０）であって、そのそれぞれが切断エッジ（２８）を有する１以上のカミソリ刃（２０）とを含み、前記フレーム（１８）が前記サブフレーム（１８）に回転可能に取り付けられ、前記フレーム（１８）が、前記キャップ（３０）付近且つ前記１以上のカミソリ刃（２０）の前記切断エッジ（２８）の後に位置される回転軸線（４２）の回りを回転するカミソリカートリッジ（１２）と、
ハンドル（１４）と
を有することによって特徴づけられるカミソリアッセンブリ（１０）。
【手続補正２】
【補正対象書類名】明細書
【補正対象項目名】０００４
【補正方法】変更
【補正の内容】
【０００４】
しかしながら、現在利用可能なほとんどのカミソリカートリッジでは、皮膚を張るように引くのに望ましい垂直力（通常力：normal force）は、もし強すぎれば不適当ともなり得る。過度の力は、カミソリ刃の切断エッジを皮膚に近付けさせすぎ、よって肌が切れたりヒリヒリしたりする可能性を増加させる。さらに、米国特許第５０７４０４２号に開示されているようないくつかのカミソリ刃ユニットは、刃のブロックが、構造の外側に配置された回転軸線の回りを回転するような構造を開示している。米国特許第６２９５７３４号に開示されているような他のユニットは、リーフスプリングがロッカーを非シェービング位置（即ち、静止位置）に付勢するような構造を開示している。
【国際調査報告】
2005515865.tif 000007
2005515865.tif 000008
2005515865.tif 000009